(57)【要約】【課題】  電子ペーパー等の表示媒体と、その表示媒体に関わる処理を連携させることによって、ユーザの作業効率を向上させることのできる技術を提供する。【解決手段】  電子ペーパー１００には、圧力を検出するワイヤレスセンサ１２０が設けられている。ユーザが電子ペーパー１００に設けられたワイヤレスセンサ１２０に触れると、ワイヤレスセンサ１２０は、検出した圧力を電波信号に代えて出力する。画像形成装置２００の制御部２１０は、ワイヤレスセンサ１２０から電波信号を受信すると、その電波信号に基づいて、その電子ペーパー１００に書き込まれている文書データと処理指示の内容とを特定し、その文書データに対して処理を実行する。これにより、ユーザは電子ペーパー１００に設けられたワイヤレスセンサ１２０に触れるという簡単な操作を行うだけで、その電子ペーパー１００に書き込まれている文書データに対して所望する処理を実行させることができる。【選択図】    図１
2006260091.tif 000002
【特許請求の範囲】
【請求項１】
表示情報を目視可能な状態にして表示する媒体を有する表示媒体と情報処理装置を備える情報処理システムであって、
前記表示媒体は、
所定の電波信号が供給されると、それをエネルギー源として電波信号を生成して出力するワイヤレス測定手段を備え、
前記情報処理装置は、
前記表示媒体を識別する表示媒体識別情報および前記表示媒体識別情報に対応した情報を記憶する記憶手段と、
前記表示媒体に備えられたワイヤレス測定手段に所定の電波信号を送信する送信手段と、
前記ワイヤレス測定手段から出力される電波信号を受信する受信手段と、
前記受信手段によって受信された電波信号に基づいて、前記表示媒体識別情報を特定する特定手段と、
前記特定手段によって特定された表示媒体識別情報と対応する情報を、前記記憶手段から読み出す読出手段と、
前記受信手段によって受信された電波に基づいて、前記表示媒体との距離を算出する算出手段と、
前記算出手段によって算出された前記距離が所定値以下の場合に、前記読出手段が読み出した情報に対する処理の内容を促す案内情報を出力する出力手段と、
前記出力手段が出力した案内情報に基づいて操作者に対して案内を提示する案内提示手段と、
操作者の操作に従って処理情報が入力される入力手段と、
前記読出手段が読み出した情報に対して、前記入力手段によって入力された処理情報に基づく処理を行う処理実行手段とを備える
ことを特徴とする情報処理システム。
【請求項２】
前記情報処理装置は、前記処理実行手段に代えて、前記読出手段によって読み出された情報と前記入力手段によって入力された処理情報とを、所定の装置に送信する処理情報送信手段を備える
ことを特徴とする請求項１記載の情報処理システム。
【請求項３】
表示情報を目視可能な状態にして表示する媒体を有する表示媒体と情報処理装置を備える情報処理システムであって、
前記表示媒体は、
所定の電波信号が供給されると、それをエネルギー源として周囲の圧力を検出し、検出した圧力を反映する属性を有した電波信号を生成して出力するワイヤレス測定手段を備え、
前記情報処理装置は、
前記表示媒体を識別する表示媒体識別情報および前記表示媒体識別情報に対応した情報を記憶する記憶手段と、
前記表示媒体に備えられたワイヤレス測定手段に所定の電波信号を送信する送信手段と、
前記ワイヤレス測定手段から出力される電波信号を受信する受信手段と、
前記受信手段によって受信された電波信号に基づいて、前記表示媒体識別情報を特定する特定手段と、
前記特定手段によって特定された表示媒体識別情報と対応する情報を、前記記憶手段から読み出す読出手段と、
前記受信手段によって受信された電波信号に基づいて、前記情報に対して実行する処理を認識する認識手段と、
前記読出手段によって読み出された情報に対して、前記認識手段によって認識された処理を行う処理実行手段とを備える
ことを特徴とする情報処理システム。
【請求項４】
前記情報処理装置は、前記処理実行手段に代えて、前記読出手段によって読み出された情報と前記認識手段によって認識された処理を示す処理情報とを、所定の装置に送信する処理情報送信手段を備える
ことを特徴とする請求項３記載の情報処理システム。
【請求項５】
表示媒体を識別する表示媒体識別情報および前記表示媒体識別情報に対応した情報を記憶する記憶手段と、
前記表示媒体に備えられたワイヤレス測定手段に所定の電波信号を送信する送信手段と、
前記ワイヤレス測定手段から出力される電波信号を受信する受信手段と、
前記受信手段によって受信された電波信号に基づいて、前記表示媒体識別情報を特定する特定手段と、
前記特定手段によって特定された表示媒体識別情報と対応する情報を、前記記憶手段から読み出す読出手段と、
前記受信手段によって受信された電波に基づいて、前記表示媒体との距離を算出する算出手段と、
前記算出手段によって算出された前記距離が所定値以下の場合に、前記読出手段が読み出した情報に対する処理の内容を促す案内情報を出力する出力手段と、
前記出力手段が出力した案内情報に基づいて操作者に対して案内を提示する案内提示手段と、
操作者の操作に従って処理情報が入力される入力手段と、
前記読出手段が読み出した情報に対して、前記入力手段によって入力された処理情報に基づく処理を行う処理実行手段と
を備えることを特徴とする情報処理装置。
【請求項６】
前記処理実行手段に代えて、前記読出手段によって読み出された情報と前記入力手段によって入力された処理情報とを、所定の装置に送信する処理情報送信手段を備える
ことを特徴とする請求項５記載の情報処理装置。
【請求項７】
表示媒体を識別する表示媒体識別情報および前記表示媒体識別情報に対応した情報を記憶する記憶手段と、
前記表示媒体に備えられたワイヤレス測定手段に所定の電波信号を送信する送信手段と、
前記ワイヤレス測定手段から出力される電波信号を受信する受信手段と、
前記受信手段によって受信された電波信号に基づいて、前記表示媒体識別情報を特定する特定手段と、
前記特定手段によって特定された表示媒体識別情報と対応する情報を、前記記憶手段から読み出す読出手段と、
前記受信手段によって受信された電波信号に基づいて、前記情報に対して実行する処理を認識する認識手段と、
前記読出手段によって読み出された情報に対して、前記認識手段によって認識された処理を行う処理実行手段と
を備えることを特徴とする情報処理装置。
【請求項８】
前記処理実行手段に代えて、前記読出手段によって読み出された情報と前記認識手段によって認識された処理を示す処理情報とを、所定の装置に送信する処理情報送信手段を備える
ことを特徴とする請求項７記載の情報処理装置。
【請求項９】
前記処理は、前記表示情報に対する印刷出力処理、画面表示出力処理、ＦＡＸ処理、メール処理、移動処理の少なくともいずれか一つの処理であることを特徴とする請求項５乃至８のいずれかに記載の情報処理装置。
【請求項１０】
表示情報を目視可能な状態にして表示する媒体を有する表示媒体であって、
所定の電波信号が供給されると、それをエネルギー源として、電波信号を生成して出力するワイヤレス測定手段を備える表示媒体。
【請求項１１】
表示情報を目視可能な状態にして表示する媒体を有する表示媒体であって、
所定の電波信号が供給されると、それをエネルギー源として圧力を検出し、検出した圧力を反映する属性を有した電波信号を生成して出力するワイヤレス測定手段を備える表示媒体。
【請求項１２】
前記ワイヤレス測定手段は、電波信号を受信して機械振動を発生させる励振部と、
前記励振部が発生した機械振動が伝達されて弾性表面波を発生し、発生した弾性表面波を電気信号に変換して電波信号として出力する送信部と
を備えることを特徴とする請求項１０記載の表示媒体。
【請求項１３】
前記ワイヤレス測定手段は、電波信号を受信して機械振動を発生させる励振部と、
前記励振部が発生した機械振動が伝達されて弾性表面波を発生するとともに、前記弾性表面波の属性が圧力によって変化する振動媒体部と、
前記弾性表面波を電気信号に変換して電波信号として出力する送信部と
を備えることを特徴とする請求項１１記載の表示媒体。
【請求項１４】
前記表示媒体は、電子ペーパーであることを特徴とする請求項１乃至４のいずれかに記載の情報処理システム。
【請求項１５】
前記表示媒体は、電子ペーパーであることを特徴とする請求項５乃至９のいずれかに記載の情報処理装置。
【請求項１６】
前記媒体は、電子ペーパーであることを特徴とする請求項１０乃至１３のいずれかに記載の表示媒体。
【発明の詳細な説明】
【技術分野】
【０００１】
本発明は、電子ペーパー等の表示媒体とその表示媒体に関わる処理を連携させる技術に関する。
【背景技術】
【０００２】
近年、紙の扱いやすさと電子表示の便利さを併せ持った表示媒体として、電子ペーパーと呼ばれる画像表示機能を持った表示媒体が注目されている。この電子ペーパーは、バッテリを内蔵していない表示媒体であって、表示内容を消去して何回でも書き換えることができ、表示された内容を長時間にわたり維持できるという特徴を有する。例えば特許文献１に記載されている光書き込み型の電子ペーパーでは、例えば表示装置などで画像等を表示する際の表示光を用いて情報を繰り返し書き込むことができ、一旦書き込んだ情報は消去または新たな情報が書き込まれない限り半永久的に維持される。
【特許文献１】特開２００２−９０７１６号公報
【０００３】
一方で、バッテリなどを保持せずに非接触で周囲の環境状態（例えば温度や湿度等）や外部からの応力等を検出することによって、人体の接触等を検出できるワイヤレスセンサに関する技術がある。
【発明の開示】
【発明が解決しようとする課題】
【０００４】
ところで、電子ペーパー等の表示媒体に表示されている内容を印刷出力したり、その内容をＦＡＸ送信したりしたい場合がある。このような場合、ユーザは、所望する処理を装置に実行させるために、様々な情報を入力する必要があり、ユーザにとって手間がかかる処理を行わなければならない。具体的には、まず、ユーザは、その表示媒体の表示内容を特定するための所定の情報（例えばファイル名やパス名、またはデータそのもの）をその装置に入力（または送信）する。装置は、入力された情報に基づいてその表示内容を特定し、所定のデータベースから読み出す。次に、ユーザは、その表示内容に対して行いたい処理を示す処理指示（例えば、印刷出力、ＦＡＸ送信等）を入力する。装置は、入力された処理指示に基づいて、その表示内容に対して各種の処理を行う。このように、表示内容を特定するための情報や処理指示等の各種の情報をユーザが入力する必要があり、ユーザにとって手間のかかる作業となる。また、ユーザは、表示内容を特定するための情報を把握しておく必要があるが、表示内容を特定するための情報をいちいち把握しておくことは、ユーザにとっては煩わしい作業となる。
【０００５】
また、複写機やプリンタ、スキャナおよびこれらの機能を兼ね備えた複合機等の画像形成装置や、パーソナルコンピュータ等の装置は、複数人数で共用して用いられることが多い。このように複数のユーザによって共用される装置を用いる場合は、他のユーザの操作が終了するのを待たなければ自身の作業を行うことができない状況が多く発生し、ユーザの作業効率が悪いという問題がある。例えば複数のユーザが１台の画像形成装置を用いて複写を行うような場合には、それぞれのユーザがその画像形成装置の操作部を用いて個別に操作を行う必要があり、他のユーザの操作が終了するのを待たなければ自身の作業を行うことができない。
【０００６】
上述したような、電子ペーパー等の表示媒体に表示されている内容を用いて処理を行いたい場合であっても、複数のユーザによって共用されている装置を用いて行う場合は、それぞれのユーザがその画像形成装置の操作部を用いて個別に操作を行う必要があり、他のユーザの操作が終了するのを待たなければ自身の作業を行うことができず、ユーザの作業効率が悪くなるという問題が発生する。
【０００７】
本発明は上述した背景に鑑みてなされたものであり、その目的は、電子ペーパー等の表示媒体と、例えば印刷出力処理やＦＡＸ送信処理等のその表示媒体に関わる処理を連携させることによって、ユーザの作業効率を向上させることのできる技術を提供することである。
【課題を解決するための手段】
【０００８】
上記課題を達成するために、本発明は、表示情報を目視可能な状態にして表示する媒体を有する表示媒体と情報処理装置を備える情報処理システムであって、前記表示媒体は、所定の電波信号が供給されると、それをエネルギー源として電波信号を生成して出力するワイヤレス測定手段を備え、前記情報処理装置は、前記表示媒体を識別する表示媒体識別情報および前記表示媒体識別情報に対応した情報を記憶する記憶手段と、前記表示媒体に備えられたワイヤレス測定手段に所定の電波信号を送信する送信手段と、前記ワイヤレス測定手段から出力される電波信号を受信する受信手段と、前記受信手段によって受信された電波信号に基づいて、前記表示媒体識別情報を特定する特定手段と、前記特定手段によって特定された表示媒体識別情報と対応する情報を、前記記憶手段から読み出す読出手段と、前記受信手段によって受信された電波に基づいて、前記表示媒体との距離を算出する算出手段と、前記算出手段によって算出された前記距離が所定値以下の場合に、前記読出手段が読み出した情報に対する処理の内容を促す案内情報を出力する出力手段と、前記出力手段が出力した案内情報に基づいて操作者に対して案内を提示する案内提示手段と、操作者の操作に従って処理情報が入力される入力手段と、前記読出手段が読み出した情報に対して、前記入力手段によって入力された処理情報に基づく処理を行う処理実行手段とを備えることを特徴とする情報処理システムを提供する。
本発明の好ましい態様において、前記情報処理装置は、前記処理実行手段に代えて、前記読出手段によって読み出された情報と前記入力手段によって入力された処理情報とを、所定の装置に送信する処理情報送信手段を備えることを特徴とする。
【０００９】
また、本発明は、表示情報を目視可能な状態にして表示する媒体を有する表示媒体と情報処理装置を備える情報処理システムであって、前記表示媒体は、所定の電波信号が供給されると、それをエネルギー源として周囲の圧力を検出し、検出した圧力を反映する属性を有した電波信号を生成して出力するワイヤレス測定手段を備え、前記情報処理装置は、前記表示媒体を識別する表示媒体識別情報および前記表示媒体識別情報に対応した情報を記憶する記憶手段と、前記表示媒体に備えられたワイヤレス測定手段に所定の電波信号を送信する送信手段と、前記ワイヤレス測定手段から出力される電波信号を受信する受信手段と、前記受信手段によって受信された電波信号に基づいて、前記表示媒体識別情報を特定する特定手段と、前記特定手段によって特定された表示媒体識別情報と対応する情報を、前記記憶手段から読み出す読出手段と、前記受信手段によって受信された電波信号に基づいて、前記情報に対して実行する処理を認識する認識手段と、前記読出手段によって読み出された情報に対して、前記認識手段によって認識された処理を行う処理実行手段とを備えることを特徴とする情報処理システムを提供する。
本発明の好ましい態様において、前記情報処理装置は、前記処理実行手段に代えて、前記読出手段によって読み出された情報と前記認識手段によって認識された処理を示す処理情報とを、所定の装置に送信する処理情報送信手段を備えることを特徴とする。
【００１０】
また、本発明は、表示媒体を識別する表示媒体識別情報および前記表示媒体識別情報に対応した情報を記憶する記憶手段と、前記表示媒体に備えられたワイヤレス測定手段に所定の電波信号を送信する送信手段と、前記ワイヤレス測定手段から出力される電波信号を受信する受信手段と、前記受信手段によって受信された電波信号に基づいて、前記表示媒体識別情報を特定する特定手段と、前記特定手段によって特定された表示媒体識別情報と対応する情報を、前記記憶手段から読み出す読出手段と、前記受信手段によって受信された電波に基づいて、前記表示媒体との距離を算出する算出手段と、前記算出手段によって算出された前記距離が所定値以下の場合に、前記読出手段が読み出した情報に対する処理の内容を促す案内情報を出力する出力手段と、前記出力手段が出力した案内情報に基づいて操作者に対して案内を提示する案内提示手段と、操作者の操作に従って処理情報が入力される入力手段と、前記読出手段が読み出した情報に対して、前記入力手段によって入力された処理情報に基づく処理を行う処理実行手段とを備えることを特徴とする情報処理装置を提供する。
本発明の好ましい態様において、前記処理実行手段に代えて、前記読出手段によって読み出された情報と前記入力手段によって入力された処理情報とを、所定の装置に送信する処理情報送信手段を備えることを特徴とする。
【００１１】
また、本発明は、表示媒体を識別する表示媒体識別情報および前記表示媒体識別情報に対応した情報を記憶する記憶手段と、前記表示媒体に備えられたワイヤレス測定手段に所定の電波信号を送信する送信手段と、前記ワイヤレス測定手段から出力される電波信号を受信する受信手段と、前記受信手段によって受信された電波信号に基づいて、前記表示媒体識別情報を特定する特定手段と、前記特定手段によって特定された表示媒体識別情報と対応する情報を、前記記憶手段から読み出す読出手段と、前記受信手段によって受信された電波信号に基づいて、前記情報に対して実行する処理を認識する認識手段と、前記読出手段によって読み出された情報に対して、前記認識手段によって認識された処理を行う処理実行手段とを備えることを特徴とする情報処理装置を提供する。
本発明の好ましい態様において、前記処理実行手段に代えて、前記読出手段によって読み出された情報と前記認識手段によって認識された処理を示す処理情報とを、所定の装置に送信する処理情報送信手段を備えることを特徴とする。
【００１２】
また、本発明の好ましい態様において、前記処理は、前記表示情報に対する印刷出力処理、画面表示出力処理、ＦＡＸ処理、メール処理、移動処理の少なくともいずれか一つの処理であることを特徴とする。
【００１３】
また、本発明は、表示情報を目視可能な状態にして表示する媒体を有する表示媒体であって、所定の電波信号が供給されると、それをエネルギー源として、電波信号を生成して出力するワイヤレス測定手段を備える表示媒体を提供する。
本発明の好ましい態様において、前記ワイヤレス測定手段は、電波信号を受信して機械振動を発生させる励振部と、前記励振部が発生した機械振動が伝達されて弾性表面波を発生し、発生した弾性表面波を電気信号に変換して電波信号として出力する送信部とを備えることを特徴とする。
【００１４】
また、本発明は、表示情報を目視可能な状態にして表示する媒体を有する表示媒体であって、所定の電波信号が供給されると、それをエネルギー源として圧力を検出し、検出した圧力を反映する属性を有した電波信号を生成して出力するワイヤレス測定手段を備える表示媒体を提供する。
本発明の好ましい態様において、前記ワイヤレス測定手段は、電波信号を受信して機械振動を発生させる励振部と、前記励振部が発生した機械振動が伝達されて弾性表面波を発生するとともに、前記弾性表面波の属性が圧力によって変化する振動媒体部と、前記弾性表面波を電気信号に変換して電波信号として出力する送信部とを備えることを特徴とする。
また、本発明の別の好ましい態様において、前記媒体は、電子ペーパーであってもよい。
【００１５】
なお、上述の情報処理システムや情報処理装置において、前記表示媒体は、電子ペーパーであってもよい。
【発明を実施するための最良の形態】
【００１６】
（１）構成
以下、図面を参照しつつ本発明の実施形態について説明する。
（１−１）電子ペーパーの構成
まず、本発明の実施形態に係る電子ペーパーの構成について、図１を参照しながら説明する。図１において、１００は、画像等を無電源（バッテリレス）で保持することができる電子ペーパーである。１１０は、表示部であり、この表示部１１０に画像等が表示される。この表示部１１０は、複写機に使用されている有機光導電材料からなる図示せぬ光導電層と、液晶表示材料からなる図示せぬ液晶層とが積層されて構成されており、表裏一対の透明電極に電圧を印加しながら光を照射すると、光の強弱が瞬間的に反射濃度に変換されて画像が記録され表示される。
【００１７】
１２０ａ，１２０ｂ，１２０ｃは、圧力を検知するためのワイヤレスセンサである。ワイヤレスセンサ１２０ａ，１２０ｂ，１２０ｃは、所定の電波信号を受信すると、受信した電波信号の応答信号として検知した圧力を示す電波信号を送信する。電子ペーパー１００に設けられたワイヤレスセンサ１２０ａ，１２０ｂ，１２０ｃは、それぞれでその周波数が異なっており、周波数を識別することによってそれぞれのワイヤレスセンサ１２０ａ，１２０ｂ，１２０ｃを一意に識別できるようになっている。
【００１８】
なお、以下の説明では、ワイヤレスセンサ１０２ａ，１２０ｂ，１２０ｃを各々区別する必要がない場合には、説明の便宜上、ワイヤレスセンサ１２０ａ，１２０ｂ，１２０ｃをまとめて「ワイヤレスセンサ１２０」と総称することとする。
【００１９】
（１−２）ワイヤレスセンサ１２０の構成と基本動作
次に、本実施形態で用いるワイヤレスセンサ１２０について、その構成と基本動作を以下に説明する。
（１−２−１）ワイヤレスセンサ１２０の構成
まず、本実施形態で用いるワイヤレスセンサ１２０の構成について、図２を参照しながら説明する。
図２は、本発明の実施の形態に係るワイヤレスセンサ１２０の構成を示す図である。このワイヤレスセンサ１２０は、基台となるＳｉを材料とする基板１と、該基板１上に酸化膜１Ａを介して形成され、弾性表面波（ＳＡＷ：Surface Acoustic Wave）が伝播する誘電体薄膜２と、誘電体薄膜２上に形成され、電気信号から弾性表面波又は弾性表面波から電気信号に変換する変換部としての一対の櫛型電極（ＩＤＴ：Inter-digital Transducer）３Ａ，３Ｂと、この一対の櫛型電極３Ａ，３Ｂの一方にインピーダンスマッチング部５Ａ，５Ｂを介して接続され、外部の送・受信機との間で電波信号の授受を行う送受信部としてのアンテナ４Ａ，４Ｂと、一対の櫛型電極３Ａ，３Ｂの他方に接続されたグランド６Ａ，６Ｂと、基板１の裏面に形成され、グランド６Ａ，６Ｂにスルーホール（図示しない）を介して接続されたグランド電極７と、受圧部８とを具備している。この受圧部８は、起端が前記誘電体薄膜２に当接し先端がワイヤレスセンサ１２０から若干突出するように設けられる。この受圧部８の先端に外部から圧力が加わることによって誘電体薄膜２が歪んで弾性表面波の周波数が変化する。
【００２０】
また、基板１の裏面側には異方性エッチングにより５４．７５度のテーパ面をなして凹部が形成されており、この底の部分が脆弱部となって外部からの圧力に反応するダイヤフラム１Ｂとなる。図面では、酸化膜１Ａは便宜上厚く描写しているが、実際には基板１と誘電体薄膜２との間での絶縁を確保できる厚さであればよい。
【００２１】
このワイヤレスセンサ１２０における弾性表面波の周波数は、櫛型電極３Ａ，３Ｂおよびインピーダンスマッチング部５Ａ，５Ｂの形状で設定される。
【００２２】
なお、櫛型電極３Ａ，３Ｂ、アンテナ４Ａ，４Ｂ、インピーダンスマッチング部５Ａ，５Ｂおよびグランド６Ａ，６Ｂは、導電パターンにより一体的に形成される。この導電パターンの材料としては、Ｔｉ，Ｃｒ，Ｃｕ，Ｗ，Ｎｉ，Ｔａ，Ｇａ，Ｉｎ，Ａｌ，Ｐｂ，Ｐｔ，Ａｕ，Ａｇ等の金属、またはＴｉ−Ａｌ，Ａｌ−Ｃｕ，Ｔｉ−Ｎ，Ｎｉ−Ｃｒ等の合金を、単層もしくは２層以上の多層構造に積層することが好ましく、特に金属としてはＡｕ，Ｔｉ，Ｗ，Ａｌ，Ｃｕが好ましい。また、この金属層の膜厚は、１ｎｍ以上１０μｍ未満とすることが好ましい。
【００２３】
このワイヤレスセンサ１２０の場合は、図２に示した誘電体薄膜２の材料にＬｉＴａＯ3を使用する。このＬｉＴａＯ3の結晶は、弾性表面波の伝搬速度が圧力変化に対して敏感に変化する材質である。また、その温度係数は約１８．０×１０-6／℃であり、ＬｉＮｂＯ3の結晶に対して温度係数は約１／４と小さく１０℃の温度変化に対して弾性表面波の変化率は０．００５％程度にしかならないため、周囲の温度変化にはあまり影響されずに、圧力変化をセンシングすることができる。
【００２４】
ダイヤフラム１Ｂ上には酸化膜１Ａを介して誘電体薄膜２が配置されるため、このダイヤフラム１Ｂに外部から例えば2barの圧力が加わると、ダイヤフラム１Ｂが変形し、櫛型電極３Ａ，３Ｂの電極間の幅を変えると共に、弾性表面波の速度が変化して中心周波数ｆ０に対して周波数を０．２％程度変化させる。また、測定対象物の温度変化が著しい場合、温度センサとの併用で補正することも可能となる。
以上のように、このワイヤレスセンサ１２０は、中心周波数ｆ０に対して約０．２％程度周波数が変化することが検知されている。
【００２５】
また、櫛型電極３Ａ，３Ｂの形状及び大きさは、外部の発信機から送信される電波の中心周波数ｆ０の機械振動を発生させるため、受信機により受信した電波の強度は、周波数の変化によりシフトされることになる。このワイヤレスセンサでは、圧力変化に応じて受信機における受信信号の強度が線形的に変化するワイヤレスセンサを実現する。
なお、このワイヤレスセンサ１２０では、基板１に凹部を形成して底部をダイヤフラム１Ｂとしているが、酸化膜１Ａのみでダイヤフラムとしてもよく、外部から加わる圧力が誘電体薄膜２に直接的或いは間接的に作用する形状であればよい。
【００２６】
また、この誘電体薄膜２は、櫛型電極３における電気機械結合係数／圧電係数、或いはアンテナ４の誘電損失等の観点から、エピタキシャルまたは単一配向性を有することが好ましい。また、誘電体薄膜２上にＧａＡＳ等のIII−V族半導体或いはダイヤモンド等の炭素を含有する薄膜を形成してもよい。これにより、弾性表面波の表面速度、結合係数、圧電定数等が向上できる。
【００２７】
（１−２−２）ワイヤレスセンサ１２０の基本動作
次に、ワイヤレスセンサ１２０の基本的な動作について、図２を参照しながら説明する。なお、図２（ａ）に示すワイヤレスセンサ１２０の平面図において、便宜上、信号が図面向かって左側から右側に移動するものとするが、実際には信号の流れには方向性がある訳ではない。
【００２８】
このワイヤレスセンサ１２０は、外部の発信機との間、受信機との間で電波信号の授受を行う。発信機から送信される電波信号はアンテナ４Ａで受信され、この信号により櫛型電極３Ａが誘電体薄膜２を励振して機械振動を発生させる。この機械振動は、誘電体薄膜２表面に弾性表面波を発生させる。この弾性表面波は、櫛型電極３Ａから櫛型電極３Ｂに向けて移動し、櫛型電極３Ｂに到達した弾性表面波は、櫛型電極３Ｂで電気信号に変換されてアンテナ４Ｂを経由して送信される。受信機は、ワイヤレスセンサ１２０からの電波信号を受信する。
【００２９】
誘電体薄膜２の表面に発生する弾性表面波は、この誘電体薄膜２に加わった圧力の変化によって、振幅、位相差、周波数等の属性が変化する。この弾性表面波の変化を電気信号として受信機で受信し、この受信機において、電気信号における属性の変化を解析する。これにより、受信機側では、ワイヤレスセンサ１２０に加わる圧力を計測することが可能となる。
【００３０】
（１−２−３）複数のワイヤレスセンサ１２０への対応
以上が、１つの周波数に対応したワイヤレスセンサの説明であったが、次に複数の周波数に対応できるワイヤレスセンサについて説明する。
図３に示すように、形状の異なる櫛型電極３Ａ−１，３Ｂ−１…３Ａ−４，３Ｂ−４が形成されたワイヤレスセンサ１２０´においては、外部から送信される電波の周波数により複数の周波数に対応した弾性表面波が誘電体薄膜２上に発生する。
【００３１】
例えば、櫛型電極３Ａ−１，３Ｂ−１およびインピーダンスマッチング部５Ａ，５Ｂで設定される弾性表面波の周波数をｆ１、櫛型電極３Ａ−２，３Ｂ−２およびインピーダンスマッチング部５Ａ，５Ｂで設定される弾性表面波の周波数をｆ２、櫛型電極３Ａ−３，３Ｂ−３およびインピーダンスマッチング部５Ａ，５Ｂで設定される弾性表面波の周波数をｆ３、櫛型電極３Ａ−４，３Ｂ−４およびインピーダンスマッチング部５Ａ，５Ｂで設定される弾性表面波の周波数をｆ４とする。
なお、図３では、グランドおよびグランド電極の図示は省略して描いている。
【００３２】
ここで、外部の発信機から周波数ｆ１の電波信号が送信されると、櫛型電極３Ａでは、この周波数ｆ１に対応した電極３Ａ−１が機械振動を発生し、この機械振動によって誘電体薄膜２上に弾性表面波が発生する。この弾性表面波が電極３Ｂ−１に伝達される。電極３Ｂ−１に伝達される弾性表面波は、圧力の影響を受けてその属性が変化する。一方、他の櫛型電極３Ａ−２，３Ｂ−２〜３Ａ−４，３Ｂ−４においては、周波数ｆ１に同調していないので、弾性表面波の発生やこれに基づく電波信号の送信は行われない。即ち、これらの櫛型電極３Ａ−２，３Ｂ−２〜３Ａ−４，３Ｂ−４は、各々周波数ｆ２，ｆ３，ｆ４に同調するように設定されており、このため、周波数ｆ２の電波をワイヤレスセンサ１２０´に送信した場合には、櫛型電極３Ａ−２→３Ｂ−２という経路で弾性表面波が伝達され、この弾性表面波に対応した電波信号がアンテナ４Ｂを経由して出力される。
【００３３】
同様に、周波数ｆ３の電波信号をワイヤレスセンサ１２０´に送信した場合には、櫛型電極３Ａ−３→３Ｂ−３という経路で弾性表面波が伝達されてアンテナ４Ｂを経由して出力され、周波数ｆ４の電波信号をワイヤレスセンサ１２０´に送信した場合には、櫛型電極３Ａ−４→３Ｂ−４という経路で弾性表面波が伝達されてアンテナ４Ｂを経由して出力される。
従って、周波数ｆ１，ｆ２，ｆ３，ｆ４の順でワイヤレスセンサ１２０´に電波を送信すれば、これらに対応する応答信号を得ることができる。またこの場合、櫛型電極３Ｂ−１，３Ｂ−２，３Ｂ−３，３Ｂ−４（出力側）から出力される信号の変化帯域（圧力による変化の幅）を重複しないように設定しておけば、周波数ｆ１〜ｆ４を同時にワイヤレスセンサ１２０´に出力しても、その応答信号として出力される４つの信号を分離して解析することができる。
【００３４】
ここで、４枚の電子ペーパー１００の個々に設けられたワイヤレスセンサ１２０を、ワイヤレスセンサ１２０−１，１２０−２，１２０−３，１２０−４とする。具体的には、ワイヤレスセンサ１２０は、弾性表面波の周波数が、櫛型電極３Ａ，３Ｂの形状で設定されるため、ワイヤレスセンサ１２０−１には、図３に示したワイヤレスセンサ１２０´の櫛型電極３Ａ−１，３Ｂ−１が形成され、ワイヤレスセンサ１２０−２にはワイヤレスセンサ１２０´の櫛型電極３Ａ−２，３Ｂ−２が形成され、ワイヤレスセンサ１２０−３にはワイヤレスセンサ１２０´の櫛型電極３Ａ−３，３Ｂ−３が形成され、ワイヤレスセンサ１２０−４にはワイヤレスセンサ１２０´の櫛型電極３Ａ−４，３Ｂ−４が形成されるものとする。これにより、ワイヤレスセンサ１２０−１〜１２０−４の誘電体薄膜に発生する弾性表面波の周波数が、ワイヤレスセンサ１２０−１がｆ１、ワイヤレスセンサ１２０−２がｆ２、ワイヤレスセンサ１２０−３がｆ３、ワイヤレスセンサ１２０−４がｆ４となる。即ち、受信する電波信号の周波数ｆ１〜ｆ４によってワイヤレスセンサ１２０−１〜１２０−４が特定されることになる。
【００３５】
そして、周波数ｆ１の電波信号ではワイヤレスセンサ１２０−１による測定が、周波数ｆ２の電波信号ではワイヤレスセンサ１２０−２による測定が、周波数ｆ３の電波信号ではワイヤレスセンサ１２０−３による測定が、周波数ｆ４の電波信号ではワイヤレスセンサ１２０−４による測定が可能となる。
【００３６】
（１−３）画像形成装置２００の構成
次に、本実施形態に係る画像形成装置２００の構成について、図４を参照しながら説明する。
図４は、本発明の一実施形態にかかる画像形成装置２００の全体構成の一例を示した図である。この画像形成装置２００は、例えばプリンタや複写機、或いはこれらの複数の機能を兼ね備えた複合機等である。図において、２１０は、例えばＣＰＵ（Central Processing Unit）などの演算装置や、ＲＯＭ（Read Only Memory）やＲＡＭ（Random Access Memory）などの各種メモリを備えた制御部である。２２０は、例えばハードディスクなどの大容量記憶装置で構成された不揮発性の記憶部であり、画像形成装置２００の各部を動作させるためのプログラムを記憶している。制御部２１０の演算装置は、記憶部２２０に記憶されているコンピュータプログラムを読み出して実行することにより、画像形成装置２００の各部を制御する。また、記憶部２２０には、ワイヤレスセンサ１２０が検出した結果に基づいて圧力を示す値を算出するためのテーブル（または算出式）等が記憶されている。制御部２１０は、このテーブルに基づいて、ワイヤレスセンサ１２０から受信する電波信号の周波数の変化分から圧力を示す値を算出する。
【００３７】
また、記憶部２２０には、多数の文書ファイルで構成された文書ファイル群ＤＢが記憶されている。この文書ファイル群ＤＢは、電子ペーパー１００に書き込まれた文書データとファイル名とがファイル単位で記憶されている。以下の説明では、この文書データとファイル名とをあわせて「文書ファイル」と称することとする。それぞれの文書ファイルには、各々を識別するための「文書ＩＤ」が割り当てられている。制御部２１０は、文書ＩＤをキーとしてこの文書ファイル群ＤＢを検索することによって、その文書ＩＤと対応する文書ファイルを特定することができるようになっている。
【００３８】
２３０は、ユーザが各種の操作を行うためのユーザインタフェース部である。このユーザインタフェース部２３０は、タッチパネルとして機能する液晶ディスプレイやテンキーを備えており、ユーザは液晶ディスプレイに触れたりテンキーを押下したりすることで各種操作を行うことができる。２８０は、ＦＡＸ送信やメール送信を行うための通信部である。この通信部は、例えばインターネットや公衆交換電話網（ＰＳＴＮ：Public Switched Telephone Networks）等のネットワークと接続されており、画像形成装置２００は、この通信部２８０を介してデータのＦＡＸ送信やメール送信を行うことができるようになっている。
【００３９】
次に、２４０は、ＣＣＤ（Charge Coupled Device）等により構成される光学系部材（図示略）を備えた画像読取部である。画像読取部２４０は、載置された原稿の画像を光学系部材によって読み取り、読み取った画像を表す画像データを生成する。２５０は、画像読取部２４０で生成された画像データまたは記憶部２２０に記憶された文書データに基づいて画像を形成することによって印刷出力を行う画像形成部である。画像形成部２５０は、図示せぬ感光体ドラム上に像光を照射して表面に静電電位の差による潜像を形成し、この潜像をトナーの選択的な付着によって可視化してトナー像とし、このトナー像を図示せぬ中間転写ベルトに転写する。そして、中間転写ベルト上のトナー像を用紙へと転写（二次転写）させ、用紙に定着させることによって用紙に画像を形成する。２６０は、画像形成用の用紙を積み重ねて収容する用紙収容部である。用紙収容部２６０に収容された用紙は、１枚ずつ画像形成部２５０に搬送され、画像形成部２５０は、搬送された用紙に画像を形成する。
【００４０】
次に、２７０は、ワイヤレスセンサ１２０に電波信号を発信するとともに、ワイヤレスセンサ１２０（図４ではワイヤレスセンサ１２０−１，１２０−２，１２０−３，１２０−４）から発信される電波信号を受信するアンテナ等を備えた無線通信部である。電子ペーパー１００のそれぞれに設けられたワイヤレスセンサ１２０は、ワイヤレスセンサ毎にその周波数が異なっているため、画像形成装置２００の制御部２１０は、無線通信部２７０を介して受信した電波信号の周波数を識別することによって、ワイヤレスセンサ１２０を一意に識別できるようになっている。
【００４１】
また、画像形成装置２００の制御部２１０は、ワイヤレスセンサ１２０からの電波信号の周波数を識別することによって、電子ペーパー１００毎に一意に対応する電子ペーパーＩＤを特定し、この電子ペーパーＩＤによって電子ペーパー１００の識別を行うようになっている。
【００４２】
なお、図４では４つのワイヤレスセンサ１２０−１，１２０−２，１２０−３，１２０−４を例示しているが、ワイヤレスセンサ１２０の数はこれに限定されるものではなく、実際には４以上の多数のワイヤレスセンサ１２０が用いられる。
【００４３】
なお、本実施形態においては、電子ペーパー１００に３つのワイヤレスセンサ１２０ａ，１２０ｂ，１２０ｃが設けられているが、それぞれのワイヤレスセンサ１２０ａ，１２０ｂ，１２０ｃには各々処理指示（「印刷出力」，「ＦＡＸ送信」，「メール送信」等の指示）が割り当てられている。画像形成装置２００の制御部２１０は、無線通信部２７０を介して電波信号を受信すると、ワイヤレスセンサ１２０ａ，１２０ｂ，１２０ｃのうちのどのワイヤレスセンサから電波信号を受信したのかを判断し、これによって、受信した電波信号がどの処理指示であるかを特定する。
具体的には、ワイヤレスセンサ１２０ａには文書データの「印刷出力」処理指示が割り当てられており、ワイヤレスセンサ１２０ｂには文書データの「ＦＡＸ送信」処理指示が割り当てられており、ワイヤレスセンサ１２０ｃには文書データの「メール送信」処理指示が割り当てられている。ユーザは、電子ペーパー１００に設けられたこれらのワイヤレスセンサ１２０ａ〜１２０ｃのいずれかに触れるかまたは押下することによって、そのワイヤレスセンサ１２０ａ〜１２０ｃに割り当てられた処理指示を、画像形成装置２００に対して発行することができるようになっている。
【００４４】
画像形成装置２００の制御部２１０は、ワイヤレスセンサ１２０から受信した電波信号を解析し、そのワイヤレスセンサ１２０によって圧力が検知されたと判断された場合は、そのワイヤレスセンサ１２０に割り当てられた処理指示を受信したと判断する。
例えば、ワイヤレスセンサ１２０ａによって圧力が検知されたと判断された場合は、“その電子ペーパー１００に表示されている文書データを印刷出力する”という旨の処理指示を受信したと判断する。同様にして、ワイヤレスセンサ１２０ｂによって圧力が検知されたと判断された場合は、“その電子ペーパー１００に表示されている文書データをＦＡＸ送信する”という旨の処理指示を受信したと判断し、ワイヤレスセンサ１２０ｃによって圧力が検知されたと判断された場合は、“その電子ペーパー１００に表示されている文書データをメール送信する”という旨の処理指示を受信したものと判断する。そして、制御部２１０は、その処理指示に基づいて、印刷出力処理やＦＡＸ送信処理、メール送信処理を実行する。
【００４５】
なお、以下では、説明の便宜上、上述した印刷出力処理やＦＡＸ送信処理、メール送信処理をまとめて「データ出力処理」と称して説明する。また、ユーザがワイヤレスセンサ１２０に接触するか押下する動作をまとめて「押下する」と称して説明する。
【００４６】
ここで、記憶部２２０に記憶されているテーブルについて説明する。記憶部２２０には、文書管理テーブルＴＢＬ１と、距離管理テーブルＴＢＬ２とが記憶されている。これらのテーブルは、ワイヤレスセンサ１２０からの電波信号に基づいて、後述するファイル名表示（案内提示）処理またはデータ出力処理を行う際に参照されるテーブルである。なお、これらの処理の内容については、後に詳細に説明するためここではその詳細な説明を省略する。
【００４７】
図５は、文書管理テーブルＴＢＬ１のデータ構成を示す図である。このテーブルは、電子ペーパー１００と、その電子ペーパー１００に書き込まれている文書データとを管理するためのテーブルである。図示のように、文書管理テーブルＴＢＬ１には、「電子ペーパーＩＤ」と「文書ＩＤ」との各項目が互いに関連づけられている。文書管理テーブルＴＢＬ１の各項目のうち、「電子ペーパーＩＤ」は、電子ペーパーを一意に識別するための識別情報であり、ワイヤレスセンサ１２０から受信する電波信号を制御部２１０が解析することによって特定される情報である。次に、「文書ＩＤ」は、文書ファイルを識別するための識別情報であり、上述した文書ファイル群ＤＢに記憶された文書ファイルと一意に対応する情報である。画像形成装置２００の制御部２１０は、無線通信部２７０を介してワイヤレスセンサ１２０から電波信号を受信すると、その電波信号を解析することによって電子ペーパーＩＤを特定し、特定された電子ペーパーＩＤをキーとしてこの文書管理テーブルＴＢＬ１を検索することによって、そのワイヤレスセンサ１２０が設けられている電子ペーパー１００に書き込まれている文書ファイルを特定することができるようになっている。
【００４８】
なお、この文書管理テーブルＴＢＬ１においては、電子ペーパーＩＤと文書ＩＤとが一対一で関連付けられるとは限らず、複数の電子ペーパーＩＤに同一の文書ＩＤが関連付けられる場合もあり、また、複数の文書ＩＤに同一の電子ペーパーＩＤが関連付けられる場合もある。例えば、３枚の電子ペーパー１００ａ，１００ｂ，１００ｃに、同一の文書データが書き込まれている場合は、電子ペーパー１００ａ，１００ｂ，１００ｃのすべての電子ペーパーＩＤに、同一の文書ＩＤが関連付けて記憶される。また、１枚の電子ペーパー１００に複数の文書データが書き込まれている場合には、複数の文書ＩＤに同一の電子ペーパーＩＤが関連付けて記憶される。
【００４９】
次に、距離管理テーブルＴＢＬ２のデータ構成について、図６を参照しながら説明する。この距離管理テーブルＴＢＬ２は、画像形成装置２００と電子ペーパー１００との距離情報を管理するためのテーブルである。図示のように、距離管理テーブルＴＢＬ２には、「電子ペーパーＩＤ」と「距離」との項目が互いに関連づけられている。距離管理テーブルＴＢＬ２の各項目のうち、「電子ペーパーＩＤ」は、文書管理テーブルＴＢＬ１に記憶される電子ペーパーＩＤと同様であり、電子ペーパーを一意に識別するための識別情報である。次に、「距離」は、画像形成装置２００と電子ペーパー１００との距離を示す情報である。画像形成装置２００の制御部２１０は、電子ペーパー１００に設けられたワイヤレスセンサ１２０から受信する電波信号の強度に基づいて、画像形成装置２００と電子ペーパー１００との距離を算出し、算出した距離が所定値以下である場合に、算出した距離とその電子ペーパー１００と対応する電子ペーパーＩＤとを、この距離管理テーブルＴＢＬ２に記憶させる。
【００５０】
また、画像形成装置２００の制御部２１０は、算出した距離が所定値より大きい場合には、その電子ペーパー１００を示す電子ペーパーＩＤと距離との対（以下、レコードとする）を、距離管理テーブルＴＢＬ２から削除する。また、レコード毎にタイマを発行しておき、そのワイヤレスセンサ１２０から電波信号をある一定期間以上受信しなった場合にも、そのレコードを距離管理テーブルＴＢＬ２から削除する。これは、電子ペーパー１００を手に持ったユーザが、あるタイミングで画像形成装置２００に近づいたものの、その後画像形成装置２００から遠ざかったような場合には、制御部２１０は、その電子ペーパー１００に設けられたワイヤレスセンサ１２０から電波信号を受信することができないためである。これにより、画像形成装置２００からの距離が所定値以下である電子ペーパー１００のみがこの距離管理テーブルＴＢＬ２に記憶され、距離が所定値より大きい電子ペーパー１００は、この距離管理テーブルＴＢＬ２に記憶されないことになる。つまり、この距離管理テーブルＴＢＬ２を参照することによって、制御部２１０は、画像形成装置２００からの距離が所定値以下である電子ペーパー１００を認識することができる。
【００５１】
（２）動作
次に、画像形成装置２００の制御部２１０が行う処理について説明する。まず、ワイヤレスセンサ１２０から受信する電波信号の信号処理について説明し、続けて、本実施形態の特徴であるファイル名表示処理・データ出力処理について説明する。
（２−１）ワイヤレスセンサ１２０の信号処理動作
まず、ワイヤレスセンサ１２０の信号処理動作について、図７を参照しながら説明する。なお、以下では、説明の便宜上、４つのワイヤレスセンサ１２０−１，１２０−２，１２０−３，１２０−４を用いて説明するが、ワイヤレスセンサ１２０の数はこれに限定されるものではなく、実際には４以上の多数のワイヤレスセンサ１２０が用いられる。
【００５２】
ワイヤレスセンサ１２０−１，１２０−２，１２０−３および１２０−４（以下、総称としてワイヤレスセンサ１２０を用いる）は、画像形成装置２００の無線通信部２７０からの電波信号を受けて個々の櫛型電極で設定された周波数の弾性表面波を誘電体薄膜２上に発生させ、圧力に応じて弾性表面波の周波数を変化させて無線通信部２７０に向けて圧力の変化に対応した周波数の信号を送信する。そして、画像形成装置２００の制御部２１０は、無線通信部２７０を介して受信した電波信号を解析して個々のセンサが設置された位置の周囲の圧力を得る。
【００５３】
前述した如く、ワイヤレスセンサ１２０は、弾性表面波の周波数が櫛型電極３Ａ，３Ｂの形状で設定される。この動作例に用いられるワイヤレスセンサ１２０−１には、図３に示したワイヤレスセンサ１２０´の櫛型電極３Ａ−１，３Ｂ−１が形成され、ワイヤレスセンサ１２０−２にはワイヤレスセンサ１２０´の櫛型電極３Ａ−２，３Ｂ−２が形成され、ワイヤレスセンサ１２０−３にはワイヤレスセンサ１２０´の櫛型電極３Ａ−３，３Ｂ−３が形成され、ワイヤレスセンサ１２０−４にはワイヤレスセンサ１２０´の櫛型電極３Ａ−４，３Ｂ−４が形成されている。これにより、ワイヤレスセンサ１２０の誘電体薄膜に発生する弾性表面波の周波数が、ワイヤレスセンサ１２０−１がｆ１、ワイヤレスセンサ１２０−２がｆ２、ワイヤレスセンサ１２０−３がｆ３、ワイヤレスセンサ１２０−４がｆ４となる。即ち、ワイヤレスセンサ１２０が受信する電波の周波数ｆ１〜ｆ４によってワイヤレスセンサ１２０−１〜１２０−４が特定されることになる。
【００５４】
制御部２１０は、無線通信部２７０を介して周波数ｆ１，ｆ２，ｆ３，ｆ４の矩形状波を合わせた電波信号を発信する。また、制御部２１０は、ワイヤレスセンサ１２０から電波信号を受信すると、受信した電波信号をデジタル化し、デジタル化された情報に基づいて解析・演算を行う。
【００５５】
前述した如くに、ワイヤレスセンサ１２０−１，１２０−２，１２０−３および１２０−４では、無線通信部２７０からの電波信号を受けて個々の櫛型電極で設定された周波数の弾性表面波を誘電体薄膜２上に発生させる。即ち、誘電体薄膜２上に発生する弾性表面波の周波数は、ワイヤレスセンサ１２０−１がｆ１、ワイヤレスセンサ１２０−２がｆ２、ワイヤレスセンサ１２０−３がｆ３、ワイヤレスセンサ１２０−４がｆ４となる。そして、ワイヤレスセンサ１２０−１，１２０−２，１２０−３および１２０−４は、各部位の圧力に応じた周波数変化の生じた電波を画像形成装置２００の無線通信部２７０に送信する。
【００５６】
続けて、制御部２１０が行う信号処理を図７のフローチャートに基づいて説明する。
まず、制御部２１０は、無線通信部２７０を介してワイヤレスセンサ１２０−１〜１２０−４からの電波信号を受信する（ステップＳ１）。受信される電波信号は、ワイヤレスセンサ１２０−１〜１２０−４から送信された異なる周波数の電波信号である。制御部２１０は図示しないカウンタを「ｎ＝０」に設定する（ステップＳ２）。
制御部２１０は、周波数ｆ１近傍を抽出するＢＰＦ（バンドパスフィルタ）処理を行い（ステップＳ３）、周波数に基づいて電子ペーパーＩＤを特定するとともに（ステップＳ４）、予め記憶部２２０に記憶されたテーブルからワイヤレスセンサ１２０−１によって計測された圧力を算出する（ステップＳ５）。さらに、これらの結果をＲＡＭに記憶する（ステップＳ６）。
【００５７】
続けて、制御部２１０はＲＡＭに記憶されたワイヤレスセンサ１２０−１〜１２０−４の測定結果に基づき、後述するファイル名表示処理またはデータ出力処理を行う（ステップＳ７）。
【００５８】
ステップＳ７の処理が終了すると、制御部２１０はカウンタを歩進して「ｎ＝ｎ＋１」とし（ステップＳ８）、このｎが４以上になったか否かを判定する（ステップＳ９）。この判定で、カウンタ値「４」未満の場合には各センサからの換算が終了していないために、ステップＳ３以降の処理を続行し、カウンタ値「４」に達した場合には、４個のセンサに対しての測定結果が算出されたものとして処理を終了する。
この使用例においては、周波数に応じてセンサを識別することにより、個々のセンサからの測定結果を得ることができる。
【００５９】
（２−２）ファイル名表示（案内提示）・データ出力処理
続けて、画像形成装置２００の制御部２１０が行うファイル名表示・データ出力処理（図７のステップＳ７で示した処理）について、図８のフローチャートを参照しながら説明する。
まず、画像形成装置２００の制御部２１０は、図７のステップＳ５において算出された圧力の値をＲＡＭから読み出し、読み出した値に基づいて圧力が検知されたか否かを判定する（ステップＳ１１）。算出された圧力がゼロより大きい場合は、圧力が検知されたと判断され、電子ペーパー１００のユーザによって、ワイヤレスセンサ１２０が押下されたと判断される。それ以外の場合は、圧力が検知されていないと判断され、ワイヤレスセンサ１２０は押下されていないと判断される。押下されていないと判断された場合は（ステップＳ１１；Ｎｏ）、制御部２１０は、画像形成装置２００付近に電子ペーパー１００があると判断し、ステップＳ１２以降のファイル名表示処理を実行する。押下されたと判断された場合は（ステップＳ１１；Ｙｅｓ）、ステップＳ２２以降のデータ出力処理を実行する。
【００６０】
まず、ステップＳ１２以降のファイル名表示処理について説明する。ステップＳ１１において、圧力が検知されなかったと判断された場合は（ステップＳ１１；Ｎｏ）、制御部２１０は、受信した電波信号の強度に基づいて、画像形成装置２００と電子ペーパー１００との距離を算出する（ステップＳ１２）。そして、算出された距離が所定値以下であるか否かを判定する（ステップＳ１３）。算出された距離が所定値以下である場合は（ステップＳ１３；Ｙｅｓ）、続けて、図７のステップＳ４で特定された電子ペーパーＩＤをＲＡＭから読み出し、読み出した電子ペーパーＩＤを有するレコードが距離管理テーブルＴＢＬ２に記憶されているか否かを判定する（ステップＳ１４）。記憶されていない場合は（ステップＳ１４；Ｎｏ）、その電子ペーパーＩＤとステップＳ１２で算出された距離とを対応付けて距離管理テーブルＴＢＬ２に記憶させる（ステップＳ１５）。続けて、その電子ペーパーＩＤをキーとして、文書管理テーブルＴＢＬ１を検索し、検索されたレコードが有する文書ＩＤと対応する文書ファイルのファイル名を読み出し（ステップＳ１６）、読み出したファイル名を案内情報として液晶ディスプレイに表示させる（ステップＳ１７）。
【００６１】
画像形成装置２００からの距離が所定値以内である電子ペーパー１００のそれぞれについて、図８のステップＳ１４からステップＳ１７の処理が行われることによって、それらの電子ペーパー１００に書き込まれている文書データのファイル名の一覧が画像形成装置２００の液晶ディスプレイに表示されることになる。
図９は、液晶ディスプレイに表示される画面の一例を示す図である。この画面には、“ファイルを選択してください”というメッセージとともに、画像形成装置２００からの距離が所定値以内である電子ペーパー１００に書き込まれている文書データのファイル名が表示されている。図９に例示した画面は、画像形成装置２００の所定距離以内にある電子ペーパーが４枚であって、その４枚の電子ペーパーに書き込まれたそれぞれの文書ファイル名が、「文書Ａ」、「文書Ｂ」、「文書Ｃ」および「文書Ｄ」である場合の画面例を示している。ユーザは、この液晶ディスプレイからファイル名を選択することによって、その文書ファイルに対する各種操作を行うことができるようになっている。
【００６２】
これにより、電子ペーパー１００を持ってユーザが画像形成装置２００に近づくだけで、画像形成装置２００は電子ペーパー１００を認識して液晶表示ディスプレイにそのファイル名を表示するため、ユーザは、電子ペーパー１００に書き込まれた文書ファイルを特定するためのファイル名やパス名等の情報を把握していなくても、その文書ファイルに対して各種の操作を行うことが可能となり、文書ファイルを特定するための情報を入力するといったユーザの負担を軽減することが可能となる。
【００６３】
続けて、図１０は、図９の画面において、ユーザが「文書Ａ」を選択した場合に、液晶ディスプレイに表示される画面の一例を示す図である。この画面には、“文書Ａについて行う操作を選択してください”というメッセージとともに、「印刷出力」、「ＦＡＸ送信」、「メール送信」の処理を示す４つの情報が表示されている。ユーザは、液晶ディスプレイに触れて所望する処理を示す情報を選択することによって、所望の処理を画像形成装置２００に実行させることが可能となる。例えば、図１０に示す画面において、ユーザによって「印刷出力」が選択された場合は、画像形成装置２００は文書Ａの文書データを用紙に印刷出力する。一方、「ＦＡＸ送信」が選択された場合は、図１１に示すようなＦＡＸの送信先の入力を促す画面を液晶ディスプレイに表示する。
【００６４】
図１１は、ＦＡＸの送信先の入力を促す画面の一例を示す図である。図示のように、この画面には、“ＦＡＸの送信先を入力してください”というメッセージとともに、ＦＡＸの送信先が表示されるボックスが表示される。ユーザは、ユーザインタフェース部２３０のテンキーを用いてＦＡＸの送信先を入力し、画像形成装置２００の制御部２１０は、入力された送信先に対して、文書Ａの文書データを通信部２８０を介してＦＡＸ送信する。
【００６５】
これにより、電子ペーパー１００を持ってユーザが画像形成装置２００に近づくだけで、文書ファイルを特定するための情報や文書ファイルそのもののデータを入力（または送信）しなくても、ユーザは、電子ペーパー１００に表示されている文書ファイルの文書データをＦＡＸ送信することが可能となる。
【００６６】
図８の説明に戻る。図８のステップＳ１４において、図７のステップＳ４で特定された電子ペーパーＩＤが距離管理テーブルＴＢＬ２に記憶されていると判断された場合は（ステップＳ１４；Ｙｅｓ）、その電子ペーパーＩＤと対応する距離の値を更新し（ステップＳ１８）、そのまま処理を終了する。その電子ペーパーＩＤが距離管理テーブルＴＢＬ２に記憶されていた場合は、その電子ペーパーに書き込まれている文書ファイルのファイル名は前回の処理において既に液晶ディスプレイに表示されているため、新たにファイル名を表示させる必要はない。
【００６７】
次に、ステップＳ１３において、距離が所定値より大きいと判断された場合について説明する。この場合は（ステップＳ１３；Ｎｏ）、制御部２１０は、その電子ペーパーＩＤをキーとして距離管理テーブルＴＢＬ２を検索し、その電子ペーパーＩＤが距離管理テーブルＴＢＬ２に記憶されているか否かを判定する（ステップＳ１９）。記憶されていないと判断された場合は（ステップＳ１９；Ｎｏ）、そのまま処理を終了し、記憶されていると判断された場合は（ステップＳ１９；Ｙｅｓ）、その電子ペーパーＩＤを有するレコードを距離管理テーブルＴＢＬ２から削除し（ステップＳ２０）、液晶ディスプレイの表示を更新する（ステップＳ２１）。
【００６８】
これにより、画像形成装置２００からの距離が所定距離よりも遠い電子ペーパー１００については、液晶ディスプレイにファイル名が表示されないことになる。所定距離よりも離れた位置にある電子ペーパー１００の文書ファイル名を液晶ディスプレイに表示しないようにすることによって、画像形成装置２００を複数のユーザが使用する場合であっても、必要のない文書ファイル名を液晶ディスプレイに表示しないようにすることができ、ユーザの作業効率を向上させることが可能となる。
【００６９】
以上、画像形成装置２００の制御部２１０が行うファイル名表示処理について説明したが、続けて、制御部２１０が行うデータ出力処理について説明する。
図のステップＳ１１において、圧力が検知されたと判断された場合は（ステップＳ１１；Ｙｅｓ）、受信した電波信号の周波数に基づいて、そのワイヤレスセンサ１２０に割り当てられた処理指示を特定し（ステップＳ２２）、特定された処理指示を判定する（ステップＳ２３）。特定された処理指示が「印刷出力処理」を示す場合は、図７のＳ４で特定された電子ペーパーＩＤと対応する文書ＩＤを文書管理テーブルＴＢＬ１から読み出し、読み出した文書ＩＤと対応する文書データを記憶部２２０の文書ファイル群ＤＢから読み出す。そして、読み出した文書データを、画像形成部２５０を用いて用紙に画像形成させることによって印刷出力処理を行う（ステップＳ２４）。ステップＳ２３において、特定された処理指示が「ＦＡＸ送信」を示す場合は、制御部２１０は、例えば図１１に示すような、ＦＡＸの送信先の入力を促す画面を液晶ディスプレイに表示する（ステップＳ２５）。「メール送信」を示す場合も同様に、メールの送信先の入力を促す画面を液晶ディスプレイに表示する（ステップＳ２５）。
【００７０】
そして、制御部２１０は、ＦＡＸまたはメールの送信先が入力されたことを検知すると（ステップＳ２６）、入力された送信先に対して、読み出した文書データを通信部２８０を介して送信する（ステップＳ２７）。
【００７１】
以上のような処理によって、ユーザは、画像形成装置２００の操作部を用いて、文書データの入力や選択を行ったりする必要がなく、また、処理指示をいちいち入力しなくても、電源を内蔵していない簡易で軽量な電子ペーパー１００に付与されたワイヤレスセンサ１２０を押下するという簡単な操作を行うだけで、その電子ペーパー１００に書き込まれている文書データに対して、所定の処理を行うことが可能となり、ユーザの作業効率を向上させることができる。例えばその文書データを印刷出力する場合は、ワイヤレスセンサ１２０を押下するだけでよく、ＦＡＸ送信を行う場合は、ワイヤレスセンサ１２０を押下した後にＦＡＸ送信先を入力するだけで、画像形成装置２００に処理を実行させることが可能となる。特に複数のユーザが１台の画像形成装置２００を用いて処理を実行させる場合であっても、それぞれのユーザが画像形成装置２００のユーザインタフェース部２３０を用いて個別に操作を行う必要はなく、ユーザは他のユーザの操作終了を待たなくても処理指示を行うことが可能となる。
【００７２】
（４）動作例
次に、本実施形態の動作例について説明する。
以下の説明では、あるユーザＡが、電子ペーパー１００Ａを持って画像形成装置２００に近づき、その後、電子ペーパー１００Ａのワイヤレスセンサ１２０ａを押下した場合の動作について説明する。
なお、電子ペーパー１００Ａの電子ペーパーＩＤを「０００Ａ」とし、電子ペーパー１００Ａに書き込まれた文書データのデータＩＤを「１００Ａ」とし、文書データのファイル名を「文書Ａ」として説明する。また、画像形成装置２００の所定距離以内に３枚の電子ペーパー１００Ｂ，１００Ｃ，１００Ｄが存在し、それぞれに書き込まれた文書データのファイル名が「文書Ｂ」、「文書Ｃ」、「文書Ｄ」であると仮定する。
【００７３】
ユーザＡが、電子ペーパー１００Ａを持って画像形成装置２００に近づくと、画像形成装置２００の制御部２１０は、図７に示したステップＳ１〜ステップＳ６の処理を経て、ワイヤレスセンサ１２０ａ，１２０ｂ，１２０ｃからの電波信号によって特定された電子ペーパーＩＤ「０００Ａ」と、それぞれのワイヤレスセンサ１２０ａ，１２０ｂ，１２０ｃによって測定された圧力とをＲＡＭに記憶させる。
【００７４】
続けて、図８に示したステップＳ１１→Ｓ１２→Ｓ１３→Ｓ１４→Ｓ１５→Ｓ１６→Ｓ１７の処理を経て、「文書Ａ」を液晶ディスプレイに表示する。本動作例においては、文書Ａ以外にも、文書Ｂ、文書Ｃ、文書Ｄのそれぞれが書き込まれた３枚の電子ペーパー１００Ｂ，１００Ｃ，１００Ｄが所定距離内にあるため、それぞれの電子ペーパー１００Ｂ，１００Ｃ，１００Ｄに対して同様の処理が事前になされている。そのため、画像形成装置２００の液晶ディスプレイには、図９に示すような画面が表示される。
【００７５】
続けて、ユーザＡは、電子ペーパー１００Ａのワイヤレスセンサ１２０ａを押下する。このとき、画像形成装置の制御部２１０は、図７に示したステップＳ１〜ステップＳ６の処理を経て、ワイヤレスセンサ１２０ａ，１２０ｂ，１２０ｃからの電波信号によって特定された電子ペーパーＩＤ「０００Ａ」と、それぞれのワイヤレスセンサ１２０ａ，１２０ｂ，１２０ｃによって測定された圧力とをＲＡＭに記憶させる。
【００７６】
続けて、制御部２１０は、図８に示したステップＳ１１の処理を実行する。ワイヤレスセンサ１２０ａは押下されたために、圧力が検知され、ステップＳ１１の判定は、“Ｙｅｓ”となり、ステップＳ１２以降の処理に進む。制御部２１０は、Ｓ２２→Ｓ２３→Ｓ２４の処理を実行する。ワイヤレスセンサ１２０ａに割り当てられた処理内容は「印刷出力処理」であるため、制御部２１０は、文書管理テーブルＴＢＬ１から電子ペーパーＩＤ「０００Ａ」と対応する文書ＩＤ「０００Ｂ」を読み出し、読み出した文書ＩＤ「１００Ａ」と対応する文書データを印刷出力する。
【００７７】
これにより、電子ペーパー１００を持ってユーザが画像形成装置２００に近づくだけで、画像形成装置２００は電子ペーパー１００を認識して液晶表示ディスプレイにそのファイル名を表示するため、ユーザは、電子ペーパー１００に書き込まれた文書ファイルを特定するためのファイル名やパス名等の情報を把握していなくても、その文書ファイルに対して各種の操作を行うことが可能となり、文書ファイルを特定するための情報を入力するといったユーザの負担を軽減することが可能となる。
【００７８】
また、ユーザが画像形成装置２００の操作部等を用いて文書データの入力や選択を行ったりする必要がなく、また、処理指示をいちいち入力しなくても、電源を内蔵していない簡易で軽量な電子ペーパー１００に付与されたワイヤレスセンサ１２０を押下するという簡単な操作を行うだけで、その電子ペーパー１００に書き込まれている文書データに対して、各種の処理を行うことが可能となり、ユーザの負担を軽減することができる。例えばその文書データを印刷出力する場合は、ワイヤレスセンサ１２０を押下するだけでよく、ＦＡＸ送信を行う場合はＦＡＸ送信先を入力するだけで、画像形成装置２００に処理を実行させることが可能となる。
【００７９】
また、画像形成装置２００の制御部２１０はワイヤレスセンサ１２０の電波信号に基づいて電子ペーパー１００を識別することができるため、複数の電子ペーパー１００に対して各種の処理を行うことができる。これにより、複数のユーザが同時に操作することができることになり、画像形成装置２００の使用効率を向上させることが可能となる。特に多人数で使用する場合に効果的である。
【００８０】
（５）変形例
以上、本発明の実施形態について説明したが、本発明は上述した実施形態に限定されることなく、他の様々な形態で実施可能である。以下にその一例を示す。
（５−１）
上述した実施形態では、ワイヤレスセンサ１２０からの電波信号を受信して各種の処理を実行する情報処理装置として画像形成装置２００を用いたが、情報処理装置を画像形成装置に限定するものではなく、例えばパーソナルコンピュータや大型ディスプレイ、携帯電話、ＰＤＡ（Personal Digital Assistance）等であってもよい。
また、上記実施形態では、電子ペーパー１００に書き込まれた文書データに対して情報処理装置が実行する処理として、印刷出力処理、ＦＡＸ送信処理、メール送信処理について説明したが、情報処理装置が実行する処理はどのようなものであってもよい。例えばファイルサーバ装置へのファイルのコピー処理や移動処理、転送処理、表示出力処理等、電子データに関する様々な操作が可能である。例えば情報処理装置としてパーソナルコンピュータや大型ディスプレイを用いる場合は、ディスプレイへの表示出力処理等を好適に行うことが可能である。
【００８１】
（５−２）
また、上述した実施形態では、処理の内容を促す案内情報を、画像形成装置２００の液晶ディスプレイに表示させることによってユーザに案内を提示するようにしたが、ユーザに案内を提示する方法は、表示出力に限らず、音声メッセージや警告音の出力等によって提示するようにしてもよく、または表示出力と音声メッセージ出力とを併用して提示するようにしてもよい。好適にユーザに案内を提示できる方法であればどのようなものであってもよい。
【００８２】
（５−３）
また、上述した実施形態では、光を照射することによって画像を記録する電子ペーパーを用いたが、電子ペーパーをこれに限定するものではなく、電気的な手段でデータの表示や消去が可能なものであればどのようなものであってもよい。例えば、複写機で利用されるトナー等の着色粒子を帯電させて封入し、電圧を印加することによって着色粒子を移動させて画像を形成する電子ペーパーや、絶縁性液体中を帯電した着色粒子を電気泳動させることで画像を形成する電子ペーパーなどを用いるようにしてもよい。
また、上述した実施形態では表示媒体として電子ペーパーを用いたが、表示媒体は電子ペーパーに限らず、好適に実施可能なものであれば、例えば用紙など、どのような表示媒体であってもよい。
【００８３】
（５−４）
上述した実施形態では、電子ペーパーに書き込まれている文書データに対して、各種の処理（印刷出力、ＦＡＸ送信等）を画像形成装置が実行するようにした。電子ペーパーに書き込まれている文書データを処理対象とすることによって、ユーザは、電子ペーパーに表示されている文書データのデータ格納先等を意識することなく各種の処理を実行させることが可能である。
なお、処理の対象となる情報は、電子ペーパーに書き込まれている文書データに限定されるものではなく、その電子ペーパーと対応する情報であればどのような情報であってもよい。例えば、電子ペーパーＩＤとその電子ペーパーの所有者のメールアドレス等を対応付けて情報処理装置に記憶させておき、情報処理装置は、その電子ペーパーと対応するメールアドレスに対して所定の内容のメールを送信するようにしてもよい。この場合、例えば情報処理装置の設置位置等を含む内容のメールを送信するようにすれば、ユーザが情報処理装置の付近に電子ペーパーを置き忘れた場合であっても、第３者がその電子ペーパーを用いて情報処理装置にメール送信処理を実行させることによって、その電子ペーパーの所有者は、メールの内容を確認することによって、電子ペーパーを置き忘れていることや電子ペーパーの場所等を把握することができる。
【００８４】
（５−５）
なお、上述した実施形態では、電子ペーパー１００に３つのワイヤレスセンサ１２０を設けるようにしたが、ワイヤレスセンサ１２０の数はこれに限定されるものではなく、１つのみであってもよく、複数であってもよい。
【００８５】
また、上述した実施形態では、圧力を検知するワイヤレスセンサ１２０によって電子ペーパーＩＤを識別するようにしたが、圧力を検知するためのワイヤレスセンサと、電子ペーパーＩＤを識別するためのワイヤレスセンサとを別々に設けるようにしてもよい。この場合は、電子ペーパーＩＤ識別用のワイヤレスセンサは、圧力センサに限らずどのようなワイヤレスセンサであってもよい。圧力や温度、湿度等の周囲の環境状態を検知するワイヤレスセンサである必要はなく、電子ペーパーＩＤが好適に識別できるワイヤレスセンサであればどのようなものであってもよい。また、圧力を検知するワイヤレスセンサを電子ペーパーに設けるようにせず、電子ペーパーを識別するためのワイヤレスセンサのみを設けるようにしてもよい。
【００８６】
（５−６）
また、上述した実施形態では、ワイヤレスセンサ１２０からの電波信号の強度に基づいて、画像形成装置２００と電子ペーパー１００との距離を算出するようにしたが、距離算出処理を行わないようにしてもよい。この場合は、画像形成装置の制御部は、電波信号を受信すると、その電波信号の送信元の任意のワイヤレスセンサに対して、そのワイヤレスセンサと対応する文書ファイルのファイル名を液晶ディスプレイに表示出力するようにすればよい。
【００８７】
（５−７）
なお、上述した実施形態では、電子ペーパーに書き込まれる電子データとして文書データを用いたが、表示媒体に書き込まれる電子データは、文書データに限らず、画像データやＨＴＭＬ形式のデータ等、どのような形式のデータであってもよい。
【００８８】
（５−８）
また、上述した実施形態では、画像形成装置に文書ファイル群や文書管理テーブル、距離管理テーブルを設け、画像形成装置でファイル名表示処理およびデータ出力処理を行うようにしたが、これらのテーブルや処理機能等を、複数の装置に分割して設けるようにしてもよい。例えば、文書ファイル群ＤＢ等を管理するようの管理サーバを別途設け、管理サーバで文書ファイル等を管理するようにしてもよい。
【００８９】
また、ワイヤレスセンサからの電波信号に基づいて、各種の処理指示を示す指示情報を送信する制御装置を設けるようにしてもよい。図１２は、この制御装置を用いたシステム構成の一例を示す図である。図において、制御装置３００と、パーソナルコンピュータ４００ａ，４００ｂと画像形成装置５００ａ，５００ｂとは、ネットワーク６００に接続されており、相互のデータ通信が可能になっている。制御装置３００は、ワイヤレスセンサ１２０から受信した電波信号を解析し、その解析結果に基づいて、各種の処理指示を示す指示情報をパーソナルコンピュータ４００ａ，４００ｂや画像形成装置５００ａ，５００ｂに送信する。
【００９０】
制御装置３００を設けることによって、ユーザが従来使用している画像形成装置５００ａ，５００ｂやパーソナルコンピュータ４００ａ，４００ｂに対して処理指示を示す指示情報を送信することができ、これにより、ユーザは、電子ペーパー１００に触れるだけで、従来使用している画像形成装置やパーソナルコンピュータに各種の処理を実行させることが可能となる。
なお、この制御装置３００が指示情報を送信する装置は、画像形成装置やパーソナルコンピュータに限定されるものではなく、大型ディスプレイやテレビ、携帯電話、ＰＤＡ等、さまざまな装置を用いることが可能である。
【００９１】
（５−９）
また、上記実施形態では、ワイヤレスセンサの周波数を各々異ならせ、その周波数を判別することによって複数のワイヤレスセンサを一意に識別するようにしたが、ワイヤレスセンサの識別方法はこれに限定されるものではなく、ワイヤレスセンサの応答信号を識別できる方法であればどのような方法であってもよい。
また、ワイヤレスセンサに送信する波形は矩形状波に限らず、測定が行えるのであれば、三弦波や三角波等、任意の波形を用いてもよい。
【００９２】
なお、電子ペーパーに設けるワイヤレスセンサの構成は、上記実施形態で説明した構成に限定されるものではなく、好適に表示媒体を識別できたり、表示媒体への接触を検知できたりするものであればどのような構成であってもよい。
【００９３】
（５−１０）
上記実施形態におけるワイヤレスセンサの各部の材質は、例えば以下の材質であってもよい。
基板１の材料としては、Ｓｉに限らず、Ｇｅ，ダイヤモンド等の単体半導体、ガラス、ＡｌＡｓ，ＡｌＳｂ，ＡＩＰ，ＧａＡｓ，ＧａＳｂ，ＩｎＰ，ＩｎＡｓ，ＩｎＳｂ，ＡｌＧａＰ，ＡｌＬｎＰ，ＡｌＧａＡｓ，ＡｌＩｎＡｓ，ＡｌＡｓＳｂ，ＧａＩｎＡｓ，ＧａＩｎＳｂ，ＧａＡｓＳｂ，ＩｎＡｓＳｂ等のIII-V系の化合物半導体、ＺｎＳ，ＺｎＳｅ，ＺｎＴｅ，ＣａＳｅ，ＣｄＴｅ，ＨｇＳｅ，ＨｇＴｅ，ＣｄＳ等のII−VI系の化合物半導体、導電性或いは半導電性の単結晶基板としてはＮｂ，Ｌａ等をドープしたＳｒＴｉＯ3，ＡｌをドープしたＺｎＯ，Ｉｎ2Ｏ3，ＲｕＯ2，ＢａＰｂＯ3，ＳｒＲｕＯ3，ＹＢａ2Ｃｕ2Ｏ7-X，ＳｒＶＯ3，ＬａＮｉＯ3，Ｌａ0.5Ｓｒ0.5ＣｏＯ3，ＺｎＧａ2Ｏ4，ＣｄＧａ2Ｏ4，ＭｇＴｉＯ4．ＭｇＴｉ2Ｏ4等の酸化物、またはＰｂ，Ｐｔ，Ａｌ，Ａｕ，Ａｇ等の金属等が挙げられる。特に、既存の半導体プロセスとの適合性やコスト面から、Ｓｉ，ＧａＡｓ、ガラス等の材料を用いることが好ましい。
【００９４】
誘電体薄膜２の材料としては、ＬｉＴａＯ3に限らず、ＳｉＯ2，ＳｒＴｉＯ3，ＢａＴｉＯ3，ＢａＺｒＯ2，ＬａＡｌＯ3，ＺｒＯ2，Ｙ2Ｏ3８％−ＺｒＯ2，ＭＧＯ，ＭｇＡｌ2Ｏ4，ＬｉＮｂＯ3，ＡｌＶＯ3，ＺｎＯ等の酸化物、ＡＢＯ3型のペロブスカイト型としてＢａＴｉＯ3，ＰｂＴｉＯ3，Ｐｂ1-XＬａX（ＺｒyＴｉ1-y）1-X/4Ｏ3（ｘ，ｙの値によりＰＺＴ，ＰＬＴ，ＰＬＺＴ），Ｐｂ（Ｍｇ0-3Ｎｂ2/3）Ｏ3，ＫＮｂＯ3等の正方系、斜方系或いは疑立方晶系材料、疑イルメナイト構造体としてＬｉＮｂｏ3等に代表される強誘電体等、またはタングステンブロンズ型として、ＳｒXＢａ1-XＮｂ2Ｏ6，ＰｂXＢａXＮｂ2Ｏ6等が挙げられる。この他に、Ｂｉ4Ｔｉ3Ｏ12，Ｐｂ2ＫＮｂ5Ｏ15，Ｋ3Ｌｉ2Ｎｂ5Ｏ15、さらに以上列挙した強誘電体の置換誘電体等から選択される。さらに、鉛を含むＡＢＯ3型のペロブスカイト型酸化物が好適に用いられる。特に、これらの材料のうちＬｉＮｂＯ3，ＬｉＴａＯ3，ＺｎＯ等の材料は、弾性表面波の表面速度、圧電定数等の変化が顕著でより好ましい。誘電体薄膜２の膜厚は、目的に応じて適宜選択されるが、通常は０．１μｍから１０μｍの間に設定される。
【００９５】
（５−１１）
上述した実施形態では、電子ペーパーに設けるワイヤレスセンサとして、ワイヤレスの圧力センサを用いたが、電子ペーパー等の表示媒体に対する接触を検知するセンサは圧力センサに限定されるものではなく、例えば光センサや加速度センサ、温度センサなど、表示媒体に対する接触を好適に検知できるワイヤレスセンサであればどのようなものであってもよい。その一例として、加速度センサと光センサについて、その構成の一例を以下に説明する。
【００９６】
（５−１１−１）加速度センサの構成
次に、ワイヤレスセンサを加速度センサとして用いた場合について説明する。
図１３は加速度センサ３０の構成を示している。図１３に示す加速度センサ３０の構成が、図２に示したワイヤレスセンサ１２０の構成と異なる点は、受圧部８とダイヤフラム１Ｂとが設けられていない点と、矩形状の基板１の一方に、他方を浮かせる台座３１が設けられている点である。そのため、図２に示したワイヤレスセンサ１２０と同様の構成要素については、同じ符号を付与してその説明を省略する。
【００９７】
基板１の一方に台座３１が設けられることにより、加速度センサ３０は片持ち支持の構造となり、図１３（ｂ）に示すように力Ｆ（Ｆ＝ｍ×α（ｍ：質量、α：加速度））が基板１の他方に加わると、この加速度に対応して基板１に撓みが発生し、この撓みを誘電体薄膜２で測定するようになる、所謂歪みゲージとして構成される。
加速度センサとして使用するためには、図１３に示した誘電体薄膜２の材料にＬｉＴａＯ3を使用する。
【００９８】
加速度（例えば、980ｍ／ｓ2）が基板１の他方に加わると、この加速度に対応して基板１に撓みが生じ、この撓みが誘電体薄膜２に伝わり、櫛型電極３Ａ，３Ｂの電極間の幅を変えると共に、ＳＡＷの速度が変化して中心周波数を対して周波数を０．１％程度変化させる。また、測定対象物の温度変化が著しい場合、温度センサとの併用で補正することも可能となる。
以上のように、加速度センサ３０は、中心周波数ｆ０に対して約０．１％程度周波数が変化することが検知されている。
【００９９】
（５−１１−２）光センサの構成
次に、ワイヤレスセンサを光センサとして用いた場合について説明する。
図１４は光センサ４０の構成を示している。図１４に示す光センサ４０の構成が、図１３に示した加速度センサ３０の構成と異なる点は、台座３１が設けられていない点と、受光素子（例えば、フォトダイオード等）４８とインピーダンス変換器４９とが設けられている点である。光センサ４０には、櫛型電極３Ｂの一方に、インピーダンス変換器４９及び受光素子４８が設けられている。この光センサ４０は、誘電体薄膜２の材料にＬｉＴａＯ3を使用する。
【０１００】
ある照度（例えば、1000lx）を持った光が受光素子４８に加わると、この光量に対応して受光素子４８のインピーダンスが変化し、このインピーダンスの変化は櫛型電極３Ｂのインピーダンスとマッチングさせるインピーダンス変換器４９を通して櫛型電極３Ｂに伝わる。ここで、櫛型電極３Ｂにおけるインピーダンス変化は、入力側の櫛型電極３Ａから伝搬してきた弾性表面波を櫛型電極３Ｂで反射させる際の反射強度を変化させる。櫛型電極３Ａは、この反射弾性表面波を再び受信し電磁波として外部に送信する。このように構成された光センサ４０においては、標準電界強度に対して約０．１％程度変化する。
【図面の簡単な説明】
【０１０１】
【図１】本発明の実施形態に係る電子ペーパーの構成を示す図である。
【図２】同実施形態で用いるワイヤレスセンサの構造を示す図である。
【図３】同実施形態で用いる複数の周波数に対応したワイヤレスセンサの構造を示す図である。
【図４】同実施形態の画像形成装置の構成を示すブロック図である。
【図５】同実施形態の文書管理テーブルのデータ構成を示す図である。
【図６】同実施形態の距離管理テーブルのデータ構成を示す図である。
【図７】同実施形態の制御部が行う電波信号処理を示すフローチャートである。
【図８】同実施形態の制御部が行うファイル名表示・データ出力処理を示すフローチャートである。
【図９】同実施形態の液晶ディスプレイに表示される画面の一例を示す図である。
【図１０】同実施形態の液晶ディスプレイに表示される画面の一例を示す図である。
【図１１】同実施形態の液晶ディスプレイに表示される画面の一例を示す図である。
【図１２】本発明の変形例に係るシステムの全体構成を示す図である。
【図１３】ワイヤレス加速度センサの構造を示す図である。
【図１４】ワイヤレス光センサの構造を示す図である。
【符号の説明】
【０１０２】
１００…電子ペーパー、１１０…表示部、１２０…ワイヤレスセンサ、２００…画像形成装置、２１０…制御部、２２０…記憶部、２３０…ユーザインタフェース部、２４０…画像読取部、２５０…画像形成部、２６０…用紙供給部、２７０…無線通信部、２８０…通信部、１…基板、２…誘電体薄膜、３Ａ，３Ｂ…櫛型電極、５Ａ，５Ｂ…インピーダンスマッチング部、４Ａ，４Ｂ…アンテナ、６Ａ，６Ｂ…グランド、７…グランド電極、８…受圧部。
【図１】
2006260091.tif 000003
【図２】
2006260091.tif 000004
【図３】
2006260091.tif 000005
【図４】
2006260091.tif 000006
【図５】
2006260091.tif 000007
【図６】
2006260091.tif 000008
【図７】
2006260091.tif 000009
【図８】
2006260091.tif 000010
【図９】
2006260091.tif 000011
【図１０】
2006260091.tif 000012
【図１１】
2006260091.tif 000013
【図１２】
2006260091.tif 000014
【図１３】
2006260091.tif 000015
【図１４】
2006260091.tif 000016